(57)【特許請求の範囲】
【請求項１】
車両前端の左右側方の映像を少なくとも撮影可能な位置に取り付けられた車載カメラと、前記車載カメラが撮影した車両左右前端側方の映像を表示する表示装置とを備えた車両用表示装置において、車両の現在位置周辺の道路地図情報を取得するナビゲーション装置と、車両の走行状態、操作状況を示す車両情報を収集する車両情報収集手段と、車両周辺の障害物までの距離を測定する車両周囲センサと、前記ナビゲーション装置により取得された前記道路地図情報、前記車両情報収集手段により収集された前記車両情報を用いて、走行道路上で接近する交差点の有無を判別する交差点判別手段と、前記交差点判別手段の判別結果、前記車両周囲センサの測定結果に応じて、前記車載カメラが撮影した車両前端左右側方の映像の前記表示装置上の表示位置を決定して、決定された前記表示装置上の表示位置に映像を表示する位置を切り替える映像切替指令を生成する映像制御手段と、前記映像制御手段が生成した前記映像切替指令に基づいて前記表示装置上の表示位置を設定して、該表示位置に前記車載カメラが撮影した車両前端左右側方の映像を表示させるカメラ映像切替手段と、を少なくとも備えたことを特徴とする車両用表示装置。
【請求項２】
請求項１に記載の車両用表示装置において、前記映像制御手段は、車両前端左右側方の映像を表示する表示位置として、前記表示装置上における横方向の位置を決定することを特徴とする車両用表示装置。
【請求項３】
請求項１または２に記載の車両用表示装置において、前記映像制御手段は、車両前端左右側方の映像を表示する表示位置として、前記表示装置上においてあらかじめ限定された所定の段階数の限定表示位置のうち、いずれかの限定表示位置を選択することを特徴とする車両用表示装置。
【請求項４】
請求項３に記載の車両用表示装置において、前記映像制御手段は、所定の段階数の前記限定表示位置のうち、いずれかの限定表示位置を選択する際に、前記交差点判別手段の判別結果、前記車両周囲センサの測定結果に応じて算出される車両前端左右側方の映像を表示すべき表示位置に最も近接した位置にある前記限定表示位置を選択することを特徴とする車両用表示装置。
【請求項５】
請求項１ないし４のいずれかに記載の車両用表示装置において、前記映像制御手段は、前記交差点判別手段により交差点に進入したと判別された交差点進入時点における、車両左右の道路の余裕度に応じて、車両前端左右側方の映像の表示位置を決定することを特徴とする車両用表示装置。
【請求項６】
請求項５に記載の車両用表示装置において、前記映像制御手段は、前記交差点進入時点として、車両フロントバンパー前端が交差点入口に差し掛かったと判別される時点とすることを特徴とする車両用表示装置。
【請求項７】
請求項６に記載の車両用表示装置において、前記映像制御手段は、車両フロントバンパー前端が交差点入口に差し掛かった時点を判別する際に、前記車両周囲センサが測定した、車両フロントバンパー側方真横方向、および、あらかじめ設定された角度を有する車両フロントバンパー側方斜め前方方向、の双方の方向に存在する障害物までの距離情報に基づいて判別することを特徴とする車両用表示装置。
【請求項８】
請求項７に記載の車両用表示装置において、前記映像制御手段は、車両フロントバンパー側方真横方向に存在する障害物までの距離をｄｌ、あらかじめ設定された角度を有する車両フロントバンパー側方斜め前方方向に存在する障害物までの距離をｄｌ２、前記角度を、車両側方真横方向からの角度として、θｓとした場合、次の式に示す関係が成立した時点を、車両フロントバンパー前端が交差点入口に差し掛かった時点と判別することを特徴とする車両用表示装置。
ｄｌ  ＜  ｄｌ２ｃｏｓθｓ
【請求項９】
請求項７または８に記載の車両用表示装置において、前記映像制御手段は、車両フロントバンパー側方斜め前方方向を示す前記角度を、車速と車両真横側方の道路の余裕度とに応じて、可変に設定することを特徴とする車両用表示装置。
【請求項１０】
請求項９に記載の車両用表示装置において、車両フロントバンパー側方斜め前方方向を示す前記角度を、車速が速いほど、大きな角度とし、車両真横側方の道路の余裕度が大きいほど、小さな角度とすることを特徴とする車両用表示装置。
【請求項１１】
請求項５ないし１０のいずれかに記載の車両用表示装置において、前記映像制御手段は、車両が進入する交差点を形成する道路について、前記ナビゲーション装置により取得された前記道路地図情報に含まれている自車位置周辺の少なくとも道路幅、車線数、道路種別のいずれか１ないし複数の情報に応じて、車両前端左右側方の映像を表示する表示位置を切り替え指示する前記映像切替指令を出力するか否かを決定することを特徴とする車両用表示装置。
【請求項１２】
請求項１１に記載の車両用表示装置において、交差点を形成する道路について、交差する道路が、車両が進行する道路よりも優先度が高い道路種別であった場合、前記映像切替指令を出力することを特徴とする車両用表示装置。
【請求項１３】
請求項１１に記載の車両用表示装置において、交差点を形成する道路が、映像を表示する道路としてあらかじめ定めた道路幅以下、あらかじめ定めた車線数以下、あらかじめ定めた道路種別のいずれか１ないし複数を満足する場合、前記映像切替指令を出力することを特徴とする車両用表示装置。
【請求項１４】
請求項５ないし１３のいずれかに記載の車両用表示装置において、前記映像制御手段は、車両フロントバンパー前端が交差点入口からあらかじめ定めた所定距離だけ手前の位置に到達した時点から、車両前端左右側方の映像の表示を開始することを特徴とする車両用表示装置。
【請求項１５】
請求項５ないし１４のいずれかに記載の車両用表示装置において、前記映像制御手段は、車両フロントバンパー前端が交差点入口に差し掛かった時点で決定した、車両前端左右側方の映像を表示する表示位置を、交差点に進入後、交差点を通過して映像表示を終了するまで変更しないことを特徴とする車両用表示装置。
【請求項１６】
請求項５ないし１５のいずれかに記載の車両用表示装置において、前記映像制御手段は、車両フロントバンパーが交差点に進入したと判別した際に、該交差点から左、右に伸びる交差道路を前記車載カメラにより撮影した映像のうち、交差点入口の左端、右端からあらかじめ定めた所定の距離までの範囲の映像を、車両のドライバのアイポイントから見た映像に視点変換して、該アイポイントからの視線方向と一致する前記表示装置上の位置に、視点変換した該映像を表示する表示位置を設定することを特徴とする車両用表示装置。
【請求項１７】
請求項１ないし１６のいずれかに記載の車両用表示装置において、運転席シートの位置の変化を検出し、シート位置変化情報として出力するシート位置検出手段をさらに備え、前記映像制御手段は、前記シート位置検出手段が出力する前記シート位置変化情報に基づいて、車両前端左右側方の映像を表示する表示位置を補正することを特徴とする車両用表示装置。
【請求項１８】
請求項１７に記載の車両用表示装置において、前記シート位置検出手段が出力する前記シート位置変化情報として、運転席シートの前後へのスライド量、運転席シートバックのリクライニング角度、を少なくとも含むことを特徴とする車両用表示装置。
【請求項１９】
請求項１ないし１８のいずれかに記載の車両用表示装置において、ドライバの視線方向を検出する視線方向検出手段をさらに備え、前記映像制御手段は、前記ドライバ視線方向検出手段の検出結果に応じて、車両前端左右側方の映像を表示する表示位置を補正することを特徴とする車両用表示装置。
【請求項２０】
請求項１９に記載の車両用表示装置において、前記ドライバ視線方向検出手段は、ドライバの眼球の動きを赤外線により検出する手段、あるいは、ドライバの顔面周辺を撮影した顔映像中の眼部の映像を画像処理により抽出して、眼部の映像中の眼球の動きを検出する手段、のいずれかを少なくとも含んで構成されることを特徴とする車両用表示装置。
【請求項２１】
請求項１ないし２０のいずれかに記載の車両用表示装置において、前記表示装置が、インパネ上部に設置された横長のディスプレイであることを特徴とする車両用表示装置。
【請求項２２】
請求項１ないし２０のいずれかに記載の車両用表示装置において、前記表示装置が、フロントガラス上に表示可能なヘッドアップディスプレイであることを特徴とする車両用表示装置。
【請求項２３】
車両前端の左右側方の映像を少なくとも撮影可能な位置に取り付けられた車載カメラが撮影した左右側方の映像を表示装置に表示する際の表示位置、表示範囲を制御する車両用映像表示制御方法において、車両の走行状態、操作状況を示す車両情報を収集する車両情報収集ステップと、車両周辺の障害物までの距離を測定する車両周囲センシングステップと、ナビゲーション装置により取得された車両の現在位置周辺の道路地図情報、前記車両情報収集ステップにより収集された前記車両情報を用いて、走行道路上で接近する交差点の有無を判別する交差点判別ステップと、前記交差点判別ステップにより判別した判別結果、前記車両周囲センシングステップにより測定された測定結果に応じて、前記車載カメラが撮影した車両前端左右側方の映像の前記表示装置上の表示位置を決定して、決定された前記表示装置上の表示位置に映像を表示する位置を切り替える映像切替指令を生成する映像制御ステップと、前記映像制御ステップが生成した前記映像切替指令に基づいて前記表示装置上の表示位置を設定して、該表示位置に前記車載カメラが撮影した車両前端左右側方の映像を表示させるカメラ映像切替ステップと、を少なくとも有することを特徴とする車両用映像表示制御方法。
【請求項２４】
請求項２３に記載の車両用映像表示制御方法において、前記映像制御ステップは、車両前端左右側方の映像を表示する表示位置として、前記表示装置上における横方向の位置を決定することを特徴とする車両用映像表示制御方法。
【請求項２５】
請求項２３または２４に記載の車両用映像表示制御方法において、前記映像制御ステップは、車両前端左右側方の映像を表示する表示位置として、前記表示装置上においてあらかじめ限定された所定の段階数の限定表示位置のうち、いずれかの限定表示位置を選択することを特徴とする車両用映像表示制御方法。
【請求項２６】
請求項２５に記載の車両用映像表示制御方法において、前記映像制御ステップは、所定の段階数の前記限定表示位置のうち、いずれかの限定表示位置を選択する際に、前記交差点判別ステップにより交差点への進入の有無を判別した判別結果、前記車両周囲センシングステップにより測定された測定結果に応じて算出される車両前端左右側方の映像を表示すべき表示位置に最も近接した位置にある前記限定表示位置を選択することを特徴とする車両用映像表示制御方法。
【請求項２７】
請求項２３ないし２６のいずれかに記載の車両用映像表示制御方法において、前記映像制御ステップは、前記交差点判別ステップにより交差点に進入したと判別された交差点進入時点における、車両左右の道路の余裕度に応じて、車両前端左右側方の映像の表示位置を決定することを特徴とする車両用映像表示制御方法。
【請求項２８】
請求項２７に記載の車両用映像表示制御方法において、前記映像制御ステップは、前記交差点進入時点として、車両フロントバンパー前端が交差点入口に差し掛かったと判別される時点とすることを特徴とする車両用映像表示制御方法。
【請求項２９】
請求項２８に記載の車両用映像表示制御方法において、前記映像制御ステップは、車両フロントバンパー前端が交差点入口に差し掛かった時点を判別する際に、前記車両周囲センシングステップにより測定された、車両フロントバンパー側方真横方向、および、あらかじめ設定された角度を有する車両フロントバンパー側方斜め前方方向、の双方の方向に存在する障害物までの距離情報に基づいて判別することを特徴とする車両用映像表示制御方法。
【請求項３０】
請求項２９に記載の車両用映像表示制御方法において、前記映像制御ステップは、車両フロントバンパー側方真横方向に存在する障害物までの距離をｄｌ、あらかじめ設定された角度を有する車両フロントバンパー側方斜め前方方向に存在する障害物までの距離をｄｌ２、前記角度を、車両側方真横方向からの角度として、θｓとした場合、次の式に示す関係が成立した時点を、車両フロントバンパー前端が交差点入口に差し掛かった時点と判別することを特徴とする車両用映像表示制御方法。
ｄｌ  ＜  ｄｌ２ｃｏｓθｓ
【請求項３１】
請求項２９または３０に記載の車両用映像表示制御方法において、前記映像制御ステップは、車両フロントバンパー側方斜め前方方向を示す前記角度を、車速と車両真横側方の道路の余裕度とに応じて、可変に設定することを特徴とする車両用映像表示制御方法。
【請求項３２】
請求項３１に記載の車両用映像表示制御方法において、車両フロントバンパー側方斜め前方方向を示す前記角度を、車速が速いほど、大きな角度とし、車両真横側方の道路の余裕度が大きいほど、小さな角度とすることを特徴とする車両用映像表示制御方法。
【請求項３３】
請求項２７ないし３２のいずれかに記載の車両用映像表示制御方法において、前記映像制御ステップは、車両が進入する交差点を形成する道路について、前記ナビゲーション装置により取得された前記道路地図情報に含まれている自車位置周辺の少なくとも道路幅、車線数、道路種別のいずれか１ないし複数の情報に応じて、車両前端左右側方の映像を表示する表示位置を切り替え指示する前記映像切替指令を出力するか否かを決定することを特徴とする車両用映像表示制御方法。
【請求項３４】
請求項３３に記載の車両用映像表示制御方法において、交差点を形成する道路について、交差する道路が、車両が進行する道路よりも優先度が高い道路種別であった場合、前記映像切替指令を出力することを特徴とする車両用映像表示制御方法。
【請求項３５】
請求項３３に記載の車両用映像表示制御方法において、交差点を形成する道路が、映像を表示する道路としてあらかじめ定めた道路幅以下、あらかじめ定めた車線数以下、あらかじめ定めた道路種別のいずれか１ないし複数を満足する場合、前記映像切替指令を出力することを特徴とする車両用映像表示制御方法。
【請求項３６】
請求項２７ないし３５のいずれかに記載の車両用映像表示制御方法において、前記映像制御ステップは、車両フロントバンパー前端が交差点入口からあらかじめ定めた所定距離だけ手前の位置に到達した時点から、車両前端左右側方の映像の表示を開始することを特徴とする車両用映像表示制御方法。
【請求項３７】
請求項２７ないし３６のいずれかに記載の車両用映像表示制御方法において、前記映像制御ステップは、車両フロントバンパー前端が交差点入口に差し掛かった時点で決定した、車両前端左右側方の映像を表示する表示位置を、交差点に進入後、交差点を通過して映像表示を終了するまで変更しないことを特徴とする車両用映像表示制御方法。
【請求項３８】
請求項２７ないし３７のいずれかに記載の車両用映像表示制御方法において、前記映像制御ステップは、車両フロントバンパーが交差点に進入したと判別した際に、該交差点から左、右に伸びる交差道路を前記車載カメラにより撮影した映像のうち、交差点入口の左端、右端からあらかじめ定めた所定の距離までの範囲の映像を、車両のドライバのアイポイントから見た映像に視点変換して、該アイポイントからの視点方向と一致する前記表示装置上の位置に、視点変換した該映像を表示する位置を設定することを特徴とする車両用映像表示制御方法。
【請求項３９】
請求項２３ないし３８のいずれかに記載の車両用映像表示制御方法において、運転席シートの位置の変化を検出し、シート位置変化情報として出力するシート位置検出ステップをさらに有し、前記映像制御ステップは、前記シート位置検出ステップが出力する前記シート位置変化情報に基づいて、車両前端左右側方の映像を表示する表示位置を補正することを特徴とする車両用映像表示制御方法。
【請求項４０】
請求項３９に記載の車両用映像表示制御方法において、前記シート位置検出ステップが出力する前記シート位置変化情報として、運転席シートの前後へのスライド量、運転席シートバックのリクライニング角度、を少なくとも含むことを特徴とする車両用映像表示制御方法。
【請求項４１】
請求項２３ないし４０のいずれかに記載の車両用映像表示制御方法において、ドライバの視線方向を検出する視線方向検出ステップをさらに有し、前記映像制御ステップは、前記ドライバ視線方向検出ステップの検出結果に応じて、車両前端左右側方の映像を表示する表示位置を補正することを特徴とする車両用映像表示制御方法。
【請求項４２】
請求項４１に記載の車両用映像表示制御方法において、前記ドライバ視線方向検出ステップは、ドライバの眼球の動きを赤外線により検出するステップ、あるいは、ドライバの顔面周辺を撮影した顔映像中の眼部の映像を画像処理により抽出して、眼部の映像中の眼球の動きを検出するステップ、のいずれかを少なくとも含んで構成されることを特徴とする車両用映像表示制御方法。
【請求項４３】
請求項２３ないし４２のいずれかに記載の車両用映像表示制御方法において、前記表示装置が、インパネ上部に設置された横長のディスプレイであることを特徴とする車両用映像表示制御方法。
【請求項４４】
請求項２３ないし４２のいずれかに記載の車両用映像表示制御方法において、前記表示装置が、フロントガラス上に表示可能なヘッドアップディスプレイであることを特徴とする車両用映像表示制御方法。
【発明の詳細な説明】
【技術分野】
【０００１】
本発明は、車両用表示装置および車両用映像表示制御方法に関し、特に、車載用カメラで撮影した映像の表示位置を制御可能な車両用表示装置および車両用映像表示制御方法に関する。
【背景技術】
【０００２】
従来の技術として、例えば、特許文献１に示す特開平９−５８３４３号公報「車両のノーズビュー装置」に記載のように、ナビゲーション装置の情報と車速とを用いて交差点への進入を判定し、車両前部に取り付けられたカメラによる車両前端左右側方の映像を表示する技術がある。
【特許文献１】特開平９−５８３４３号公報
【発明の開示】
【発明が解決しようとする課題】
【０００３】
しかしながら、前述のような従来の技術では、車両前端左右側方の映像を表示する位置が、常に同じ位置であるので、該映像を用いて車両左右の安全を確認する場合、交差点進入時の左右の目視確認方向から映像表示位置まで視線を大きく移動させなければならないという課題がある。
【０００４】
本発明は、かかる課題を解決するために、車両左右の道路の余裕度（すなわち残りの道路幅）を検出して、交差点進入時の左右の目視確認方向を推定し、映像の表示位置を目視確認方向と一致する方向に設定することにより、該映像を用いて車両左右の安全を確認する際の視線移動量を低減可能とすることを目的としている。
【課題を解決するための手段】
【０００５】
本発明は、前述の課題を解決するために、ナビゲーション装置により走行道路上で接近する交差点の有無を判別した判別結果、車両周囲センサにより車両周辺の障害物までの距離を測定した測定結果を用いて、車載カメラが撮影した車両前端左右側方の映像を表示させる表示装置上の表示位置を決定して、決定した該表示位置に映像を表示することを特徴としている。
【発明の効果】
【０００６】
本発明の車両用表示装置および車両用映像表示制御方法によれば、交差点に接近した際に、車載カメラが撮影した車両前端左右側方の映像を表示する表示装置上の表示位置を制御可能としているので、以下のごとき効果を奏することができる。
【０００７】
すなわち、交差点に接近した際に車両周辺の状況（車両左右の道路の余裕度など）の検出結果に応じて、車載カメラが撮影した車両前端左側方および右側方の映像の表示位置をドライバの目視確認方向を基準にして設定することが可能となるので、走行状態に応じて、ドライバの視線移動量が最小限になる表示位置に、左右の映像を表示することができ、もって、視線の大幅な移動を伴うことなく、映像を視認して左右の安全を確認することができる。
【発明を実施するための最良の形態】
【０００８】
以下に、本発明による車両用表示装置および車両用映像表示制御方法の最良の実施形態について、図面を参照しながら詳細に説明する。
【０００９】
（第１の実施形態）
最初に、本発明による車両用表示装置および車両用映像表示制御方法の第１の実施形態について説明する。
【００１０】
先ず、本発明による車両用表示装置の構成の一例について、図１を用いて説明する。ここに、図１は、本発明による車両用表示装置の基本構成の一例を示すシステム構成図である。
【００１１】
図１に示すように、本発明による車両用表示装置の基本構成は、映像制御手段１１、車両情報収集手段１２、ナビゲーション装置１３、車両周囲センサ１４、交差点判別手段１５、複数台の電子式の車載カメラ１６、カメラ映像切替装置１７、表示装置１８を少なくとも含んで構成されている。
【００１２】
図１の基本構成においては、車両のセンサ群として、車両情報収集手段１２、ナビゲーション装置１３、車両周囲センサ１４を少なくとも備えている。車両情報収集手段１２は、車速、ステアリング操舵角、アクセル開度、ブレーキのＯＮ／ＯＦＦスイッチ、ギア位置、ウィンカーなどの車両の走行状態や操作状況（運転操作量）に関する車両信号を取得して、交差点判別手段１５に対して出力する車両情報収集ステップを実現するものである。ナビゲーション装置１３は、自車両の現在位置周辺の道路地図情報や自車位置情報を取得して、交差点判別手段１５に対して出力するものである。
【００１３】
車両周囲センサ１４は、超音波センサやミリ波レーダに代表されるセンサで構成され、車両周辺の数十ｃｍから数十ｍの範囲に存在する障害物までの距離を測定可能な車両周囲センシングステップを実現するものである。車両周囲センサ１４は、測定した障害物までの距離を、障害物検出信号として、映像制御手段１１に対して出力する。
【００１４】
また、図１の基本構成において、交差点判別手段１５は、車両情報収集手段１２からの車両信号（車両情報）、ナビゲーション装置１３からの自車位置周辺の道路地図情報に関する信号を用いて、自車両の走行道路上で接近する交差点が存在するか否かを検出し、自車両が交差点手前のあらかじめ定めた距離例えば数十ｍから十数ｍ近辺まで近づいた場合に、交差点接近検出信号として映像制御手段１１に出力する交差点判別ステップを実現するものである。
【００１５】
映像制御手段１１は、交差点判別手段１５から交差点近辺に近づいたことを示す交差点接近検出信号が入力されると、該交差点接近検出信号が示す交差点の判別結果、車両周囲センサ１４からの障害物検出信号が示す測定結果を用いて、車両前端の左側方および右側方の映像の表示装置１８上の表示位置を決定するとともに、交差点への進入タイミングを検出して、車載カメラ１６が撮影した映像の表示位置や表示範囲などを切り替える映像切替指令を生成して、カメラ映像切替装置１７に対して出力する映像制御ステップを実現するものである。
【００１６】
カメラ映像切替装置１７は、映像制御手段１１からの映像切替指令に応じて、車載カメラ１６が撮影した映像の表示位置や表示範囲を切り替えるカメラ映像切替手段を提供するものであり、車両前端の左右側方に取り付けられた車載カメラ１６からの出力映像（車両前端左右側方の映像）の表示位置や表示範囲を設定するとともに、映像を視点変換して、視点変換後の車両前端左右側方の映像を表示装置１８上の設定した表示位置に表示するカメラ映像切替ステップを実現するものである。
【００１７】
次に、図１の車両用表示装置の基本構成例における具体的なハードウェア構成について、図２を用いて説明する。図２は、本発明による車両用表示装置のハードウェア構成の一例を示すブロック構成図であり、図１に示した基本構成における各装置に関して、具体的な構成の一例を示している。
【００１８】
図２に示すように、本発明による車両用表示装置を構成する各装置は、車両内ＬＡＮ（Ｌｏｃａｌ  Ａｒｅａ  Ｎｅｔｗｏｒｋ）１０に接続されて、指定した装置との間で、相互にデータの転送を行うことが可能とされている。
【００１９】
ナビゲーション装置１３は、自車両位置測定装置１３１、道路情報取得手段１３２、地図データベース（ＤＢ：ＤａｔａＢａｓｅ）１３３、アンテナ１３４、インフラ受信器１３５を少なくとも含んで構成される。
【００２０】
自車両位置測定装置１３１は、自車両の現在位置を測位するものであり、ＧＰＳ（Ｇｌｏｂａｌ  Ｐｏｓｉｔｉｏｎｉｎｇ  Ｓｙｓｔｅｍ）やジャイロによる自律航法などを用いて、自車両の現在位置を測位して、自車位置情報として、道路情報取得手段１３２と交差点判別手段１５とに対して出力する。なお、自車両位置測定装置１３１としては、この他に、ＧＰＳアンテナおよび受信器を備えた携帯電話機を使用するようにしても良い。
【００２１】
また、道路情報取得手段１３２は、自車両位置測定装置１３１からの自車位置の測位結果を示す自車位置情報に基づいて、地図データベース１３３の地図データに記録されている道路上にマッチングさせて、自車両周辺の道路地図情報を取得して、交差点判別手段１５に対して出力する。
【００２２】
また、地図データベース１３３は、車両走行用の道路を含む地図データを蓄積しているデータベースであり、例えば、ＤＶＤやＨＤＤなどの記憶メディアによって構成される。
【００２３】
さらに、道路に設置されたビーコンなどの狭い範囲に対する情報提供インフラやＦＭ多重放送などの広い範囲に対する情報提供インフラからの情報を受信するためのアンテナ１３４およびインフラ受信器（コンバータ）１３５も備えている。
【００２４】
次に、車両情報収集手段１２としては、例えばＣＡＮのような車両内ＬＡＮ１０を介して、各種のセンサ機器から車速や横加速度、ヨーレートなどの車両挙動に関する情報や、操舵角、アクセル開度、ブレーキＳＷ信号、ギア位置、ウィンカー、ハザードＳＷなどの運転操作量に関する操作状況を取得して、車両信号として、交差点判別手段１５に対して出力する。
【００２５】
車両周囲センサ１４としては、例えば、車両前後バンパーの左右角部に取り付けられた超音波センサ１４１やミリ波レーダ１４２などで構成され、車両周囲の数十ｃｍから数十ｍの範囲に存在する障害物までの距離を測定して、障害物検出信号として、映像制御手段１１に対して出力する。なお、ここで用いるミリ波レーダ１４２は、検知角度が９０度以上と広く、測定可能距離が十数ｍまでの近距離の障害物検知に適したものであり、バンパー内部に取り付け可能である。
【００２６】
交差点判別手段１５としては、車両情報読取部１５１、ナビ情報読取部１５２、交差点抽出部１５３、交差点進入判断部１５４を少なくとも含んで構成される。
【００２７】
車両情報読取部１５１は、車両情報収集手段１２から送信されてくる車両信号に含まれている車両情報を読み取るものであり、ナビ情報読取部１５２は、ナビゲーション装置１３から送信されてくる自車位置情報や自車位置周辺の道路地図情報を読み取るものである。
【００２８】
交差点抽出部１５３は、ナビ情報読取部１５２によって読み取られて取得された自車位置周辺の道路地図情報に基づいて、車載カメラ１６によって撮影されている映像の表示位置や表示範囲を切り替えるために必要な交差点情報を抽出するものである。また、交差点進入判断部１５４は、車両情報読取部１５１で取得された車両情報と交差点抽出部１５３で抽出された交差点情報とに基づいて、自車両が交差点手前からあらかじめ定めた所定距離にまで接近しているか否かを判定し、交差点に接近している旨を示す交差点接近情報を、映像制御手段１１に対して出力するロジックを備えているものである。
【００２９】
次に、映像制御手段１１は、映像表示位置/表示範囲指令部１１１を含んで構成されており、交差点判別手段１５からの交差点接近を示す情報、車両周囲センサ１４からの障害物までの距離の測定結果に応じて、映像の表示位置や表示範囲の指令値を映像切替指令としてカメラ映像切替装置１７に対して出力するロジックを備えている。すなわち、走行道路上で交差点の手前のあらかじめ定めた所定距離まで到達して、交差点に接近したことを交差点判別手段１５から通知されると、車両周囲センサ１４の測定結果である障害物検出信号を受信することによって、車両周囲の数十ｃｍから数ｍの範囲に存在する障害物までの距離を取得して、障害物までの距離に応じて、車載カメラ１６で撮影される映像の表示位置や表示範囲などについて、切り替えるべき指令値を決定する映像切替指令を生成して、カメラ映像切替装置１７に対して出力する。ここで、映像切替指令として指定する表示位置は、車両前端左右側方の映像を表示するための表示装置１８上の縦方向中心線上における横方向（左右方向）の位置を指定するものである。
【００３０】
なお、本発明は、図２に示す構成に限るものではなく、例えば、交差点判別手段１５および映像制御手段１１のハードウェア構成を、それぞれ前述したような機能を備えた独立した１つの演算ユニットにまとめた構成としても良い。また、例えば、交差点判別手段１５内の車両情報読取部１５１、ナビ情報読取部１５２、交差点抽出部１５３、および、交差点進入判定部１５４との機能を、ナビゲーション装置１３内にまとめるようにしても良いし、映像制御手段１１の機能をカメラ映像切替装置１７内にまとめて備えるようにして良く、任意の複数の装置に機能を分散配置したり、逆に、ある装置内に機能を統合したりするように構成しても良い。
【００３１】
次に、カメラ映像切替装置１７は、例えば、図２の車載カメラ配置例に示すように、車両前部バンパーの左右両端に取り付けられた車載カメラ１６にて撮影された映像信号を、車両前端左右側方の確認に必要な範囲の映像へと、表示位置や表示範囲を変換して、表示装置１８へ出力する。
【００３２】
表示装置１８の構成例としては、右側Ａピラー下部からメータインパネ上部を経てセンタコンソールにかけた範囲および助手席ダッシュボード付近までを複数の液晶ディスプレイで構成するワイドディスプレイ１８１や、インパネから助手席左端までを一つのディスプレイとしたホリゾンタルモニタ（ホリゾンタルディスプレイ）１８２など、横長の形状のものが挙げられる。
【００３３】
次に、図１，２に示した本発明の車両用表示装置の動作について説明する。
【００３４】
ナビゲーション装置１３の地図データベース１３３に蓄積される地図データすなわち道路地図情報は、通常、ノード(交差点やＪＣＴなどの分岐路があるポイントの位置座標)および補完点(道路の屈曲を描画するためのポイントの位置座標)のポイントデータと、ノード同士の間を結ぶリンクデータと、から構成されている。
【００３５】
該ポイントデータと該リンクデータとは、それぞれ属性情報を有している。リンクデータの属性の例としては、道路種別や道路幅、車線数などが、一方、ポイントデータの属性の例としては、信号機の有無やトンネルの出入口などが挙げられる。
【００３６】
地図データベース１３３の道路地図データとして記録されているこれらの情報を活用して、ドライバ(運転者)に対して車両前端左右側方の映像表示による支援が必要な見通しの悪い交差点を抽出することになる。
【００３７】
なお、見通しの悪い交差点を推定するためには、下記の条件のうち、いずれか１ないし複数の条件を満たす交差点のみを抽出するようにして、抽出される交差点に該当した場合にのみ、カメラ映像切替装置１７に対する映像切替指令を出力するようにしても良い。
【００３８】
（１）自車の現在位置の道路が、映像を表示する道路としてあらかじめ定めた道路種別例えば図３に示す道路種別における「主要一般道」よりも主要度が低い道路に該当している場合
（２）自車の現在位置の道路の車線数が、あらかじめ定めた車線数以下例えば１以下である場合
（３）自車の現在位置の道路の道路幅が、あらかじめ定めた道路幅以下例えば５．５ｍ以下である場合
ここに、図３は、道路種別ごとの主要度の順位の一例を説明するための道路種別テーブルであり、「主要一般道」よりも主要度（優先度）が低い道路種別としては、一般道、細街路が該当している。なお、見通しの悪い交差点を推定するための条件としては、かかる場合に限定するものではなく、例えば、交差する道路が車両走行道路よりも優先度が高い道路種別であった場合に、表示装置１８上の指定表示位置への映像表示の切替を指示する映像切替指令を出力するなど、さらに異なる条件を設定しても良いし、あるいは、図３に示す「主要一般道」ではなく、「一般都道府県道」よりも主要度が低い道路としても良い。
【００３９】
次に、交差点に進入する際の車両前端左側方および右側方の映像の表示位置を決定する動作について、図４を用いて説明する。図４は、車両左側側方の余裕度（残りの道幅）に応じて、映像の表示位置を変化させる概念を説明するための概念図であり、車両前方に、見通しが悪い交差点がある場合を示している。図４においては、図４（Ａ）、図４（Ｂ）、図４（Ｃ）の順に、車両左側側方の余裕度がない状況を示しており、図４（Ａ）が、道路の最も左側に寄って走行している状況にあり、図４（Ｃ）が、道路の右側に寄って、左側側方に余裕を持って走行している状況にある。
【００４０】
ここで、視線の移動をできるだけ少なくして、ドライバが映像を確認できるようにするためには、交差点入口の左端や右端を目視確認しようとしている視線方向が、映像の表示位置ｐの中心付近を通るようにすることが必要である。例えば、交差点入口の左端を確認する場合、図４（Ａ）に示すように、車両左側の道路傍の壁ぎりぎりまで寄って走行している状況では、交差点入口の左端に対する視線が、表示装置１８の例えばホリゾンタルディスプレイ１８２の中心付近を通るようになるので、映像の表示位置ｐを表示装置１８の略中央の位置とし、図４（Ｂ）、（Ｃ）に示すように、車両の左側が道路傍の壁から離れるに従って、交差点入口の左端に対する視線が、表示装置１８のより左側を通るようになるため、映像の表示位置ｐを表示装置１８の横方向に移動させて、左端により近づけた位置とすることになる。
【００４１】
言い換えると、交差点に進入したと判別される交差点進入時点における、車両左右の道路の余裕度（残りの道路幅）に応じて、車両前端左右側方の表示位置が決定されることになる。ここで、交差点進入時点とは、車両フロントバンパー前端が交差点入口に差し掛かったと判別される時点とみなすことができる。
【００４２】
映像の左右の表示位置ｐを横方向に移動させて算出する方法の概要について、その一例を、図５を用いて説明する。図５は、車両側方の余裕度（残りの道幅）に応じて、映像の左右の表示位置ｐを横方向に移動させて設定する方法の一例を示す概念図である。
【００４３】
図５（Ａ１），（Ａ２）に例示するように、先ず、交差点入り口に停止時のドライバの左右の目視確認位置を推定する。ここでは、ドライバのアイポイントを基準として、アイポイントからフロントバンパー前端までの距離ＬＴとアイポイントから道路の左右それぞれの端（壁）までの距離Ｄｌ、Ｄｒを用いて、交差点入口の左端および右端への視線方向θｌおよびθｒをそれぞれ決定する。視線方向を示す角度θｌおよびθｒは、図５（Ａ１）のように道路幅が狭い場合よりも、図５（Ａ２）のように道路幅が広がるにつれて、前方方向から左右横方向にずれていき、角度θｌおよびθｒが拡大していく。
【００４４】
次に、図５（Ｂ１），（Ｂ２）に例示するように、交差点をプレビューする映像を表示装置１８上に表示する表示位置ｐを算出して設定する。ここでは、交差点を目視確認する左右の視線方向と表示装置１８の横方向中心線との交点ＸｌおよびＸｒを算出して、求めた交点ＸｌおよびＸｒを左右の映像の表示位置ｐの中心として設定する。図５(Ｂ１)の道路幅が狭い場合には、左右の映像の表示位置ｐは、表示装置１８の縦方向中心線の近傍に位置しているが、道路幅が広くなり、交差点を目視確認する左右の視線方向を示す角度θlおよびθrが広がるにつれて、左右の視線方向と表示装置１８の横方向中心線との交点ＸｌおよびＸｒが表示装置１８の縦方向中心線から、より外側に（より左右に）ずれていくことになる。
【００４５】
なお、交点ＸｌまたはＸｒの位置が、表示装置１８の左右端よりもさらに外側になった場合は、映像の表示位置ｐを表示装置１８の左端または右端に固定する。図５（Ｂ１）の例では、交点Ｘｒが表示装置１８の右端よりもさらに外側になった例を示しており、右側の映像の表示位置ｐを表示装置１８の右端に設定している。  かくのごとき方法によって算出した左右の映像の表示位置ＸｌおよびＸｒに、車両の前端左側方および右側方の映像を表示する表示エリアの中心を合わせるように表示位置ｐを設定する。
【００４６】
また、映像の表示位置ｐを表示装置１８内の自由な位置に設定可能としないで、表示装置１８内の特定の数段階の限定表示位置（あらかじめ限定された段階数の特定の限定表示位置）に限定する場合について、図６を用いて次に説明する。図６は、映像の表示位置ｐを表示装置１８内の特定の数段階に限定して設定した場合の一例を示す概念図である。
【００４７】
図６に示す例においては、表示装置１８の横方向について、右側のＡピラーの下部からメータインパネの上部を経てセンタコンソールにかけたドライバ周囲に位置する表示範囲を３つのＬＣＤで構成し、助手席側のダッシュボード上側の範囲を２つの横長ＬＣＤで構成するワイドディスプレイを例にとって説明する。
【００４８】
ドライバ周囲の表示範囲を構成する３つのＬＣＤについては、右側のＬＣＤを用いる場合は、位置Ｘｒ３に、また、メータインパネ上部に位置する真ん中のＬＣＤを用いる場合は、警報などを表示する範囲を確保した位置Ｘｒ１、Ｘｒ２のいずれかに、左側のＬＣＤを用いる場合は、ナビゲーションの地図画面を表示する範囲を確保した位置Ｘｌ１、Ｘｌ２のいずれかに表示位置を限定する。一方、助手席側のダッシュボード上側の表示範囲を構成する２つの横長ＬＣＤについては、ＴＶやＤＶＤなどの画面を表示する範囲を確保した位置Ｘｌ３、Ｘｌ４、Ｘｌ５のいずれかに表示位置を限定する。
【００４９】
なお、ＴＶやＤＶＤなどの画面を表示していない場合には、表示位置をＸｌ３からＸｌ５の間を連続的に変化させるようにしても良い。また、位置Ｘｌ１〜Ｘｌ５と位置Ｘｒ１〜Ｘｒ３との特定の限定表示位置のうち、図５において説明したように、少なくとも交差点判別手段１５の判別結果と車両周囲センサ１４の測定結果とに基づいて決定される左右の映像の表示位置ＸｌおよびＸｒとの差の絶対値が最も小さい値となる（すなわち最も近接した位置となる）いずれかの限定表示位置を選択して、左右の映像の表示位置として設定する。なお、左右の映像の表示位置ＸｌおよびＸｒの算出方法の詳細は後述の図８のフローチャートにおいて更に説明する。
【００５０】
また、ここで設定した映像の表示位置への映像の表示開始時点は、車両のフロントバンパーが交差点入口に差し掛かる直前のあらかじめ定めた所定距離ΔＬだけ手前の位置に到達した時点とし、しかる後、交差点に進入した以降は、交差点進入時点（車両フロントバンパー前端が交差点入口に差し掛かった時点）で一旦設定した表示位置は、交差点進入後には変更せずに、そのまま、交差点を通過した場合や交差点進入後から所定距離進んだ場合や加速が検出された場合などにより、映像の表示を終了するまでの間、固定した表示位置に表示するようにする。これによって、ドライバが安全確認にさらなる注意を要する交差点内では、映像の表示位置を視認する方向が変動してしまう煩わしさを回避させることができる。
【００５１】
次に、車両のフロントバンパーが交差点入口の直前に接近したことを検出する検出方法の一例について図７を用いて説明する。図７は、車両が交差点へ進入する直前の時点（タイミング）を検出する検出方法の一例を説明する概念図である。図７に示すように、車両のフロントバンパー左角部に取り付けられた車両周囲センサ１４（距離センサ）の測定結果のうち、車両フロントバンパーの真横左方向の障害物までの距離ｄｌ（ｍ）と車両フロントバンパー真横からあらかじめ設定された角度θｓだけ左斜め前方の障害物までの距離ｄｌ２（ｍ）との２つを用いる。
【００５２】
車両が交差点のまだ手前にある図７（Ａ）の場合は、車両真横の左方向のみならず、車両フロントバンパー真横から角度θｓだけ左斜め前方方向についても、車両左側道路の壁が続いているので、
ｄｌ  ＝  ｄｌ２＊ｃｏｓθｓ
の関係が成立している。
【００５３】
一方、車両のフロントバンパー前端が交差点入口に到達する時点である図７（Ｂ）の場合は、車両フロントバンパー真横から角度θｓだけ左斜め前方方向は、車両左側道路の壁から外れて、交差点内に入った状態になるため、ｄｌ２のみが大幅に増大した距離になり、
ｄｌ  ＜  ｄｌ２＊ｃｏｓθｓ
の関係が成立することになる。したがって、この関係が成立するタイミングを検出するようにすれば良い。
【００５４】
なお、車両フロントバンパーの真横左方向と車両フロントバンパー真横から角度θｓだけ左斜め前方方向の両方向の障害物までの距離ｄｌ、ｄｌ２を検出するためには、例えば、超音波センサ１４１をフロントバンパー左角部付近にそれぞれの方向に向けて１つずつ取り付けても良いし、あるいは、フロントバンパー左角部付近に取り付けた近距離測定用のミリ波レーダ１４２を用いる場合は、検知範囲の中心を、車両フロントバンパーの真横左方向から所定の角度θsだけ左斜め前方までをスキャンするようにしても良い。
【００５５】
ここで、斜め前方の角度θｓすなわちスキャニング角度θsは、カメラ映像切替装置１７への映像切替指令（表示位置や表示範囲の指令値を含む指令）の送信から表示装置１８に映像が表示されるまでのタイムラグＴｄ(sec)を考慮に入れるとともに、交差点への接近時の車速Ｖａ（ｍ／ｓ）も考慮に入れて、車速Ｖａ(ｍ／ｓ)が速くなるほど、大きな角度にするように、設定しても良い。
【００５６】
さらに、交差点入口から所定距離ΔＬ（ｍ）だけ手前の位置を検出するために、車両フロントバンパーの真横左方向の障害物までの距離ｄｌ（すなわち車両真横側方の余裕度）の測定結果が大きいほど、スキャニング角度θsを小さい角度にするように設定しても良い。
【００５７】
これら２つの条件を満たすように、スキャニング角度θsを設定するには、次の式を用いることにすれば良い。
【００５８】
θs  ＝  arctan(ΔＬ／ｄｌ)
ここで、ΔＬ  ＝  Ｖａ＊Ｔｄ
すなわち、スキャニング角度θｓは、車速Ｖａ（ｍ／ｓ）と車両真横側方の道路の余裕度とに応じて可変に設定される。
【００５９】
以上のような映像の表示位置の制御に関する具体的な処理の流れについて、図８のフローチャートに沿って説明する。図８は、本発明による車両用表示装置における映像表示方法すなわち車両用映像表示制御方法の流れの一例を説明するためのフローチャートである。なお、図８に示すフローチャートの動作は、図２の交差点判別手段１５において、一定時間間隔 (例えば、１．０[ｓ])ごとに起動するようにしても良いし、また、自車両が所定距離(例えば１００ｍ)走行する都度、起動するようにしても良い。また、図８の動作を、映像表示制御プログラムとしてプログラム論理により実現することも可能である。交差点判別手段１５もプログラム論理によって実現している場合は、交差点判別手段１５のメインプログラムによって図８に示す映像表示方法の動作を起動することになる。
【００６０】
図８のフローチャートにおいて、先ず、交差点判別手段１５は、ナビゲーション装置１３から送信されてくる自車両周辺の道路地図情報をナビ情報読取部１５２によって読み取って、自車両進行方向の道路上のポイントデータおよびリンクデータを取得する（ステップＳ１１１）。取得された自車両進行方向の道路上のポイントデータおよびリンクデータに基づいて、交差点抽出部１５３によって自車両進行方向の道路上に存在する最寄りの交差点に関する情報を抽出し、当該交差点までの距離を算出する。
【００６１】
交差点抽出部１５３によって算出された最寄りの交差点までの距離と、車両情報読取部１５１により取得された車両情報収集手段１２からの車両情報と、を参照して、交差点進入判断部１５４は、自車両が当該交差点手前からあらかじめ定めた所定距離にまで接近しているか否かを判定する（ステップＳ１１２）。
【００６２】
ここで、あらかじめ定めた前記所定距離とは、車両情報収集手段１２からの車両情報として得られる自車両の走行速度などから算出される、当該交差点に進入するまでの推定到達時間に基づいて決定されるものである。例えば、走行速度が４０ｋｍ／ｈで走行している場合、推定到達時間として２秒程度を確保するものとして、ナビゲーション装置１３における自車両位置測定装置１３１（例えば、ＧＰＳシステム）の測位誤差を考慮に入れて、例えば２０ｍとする。
【００６３】
ステップＳ１１２において、自車両が前記所定距離以下になった場合（ステップＳ１１２のＹＥＳ）、自車両周辺の映像を表示装置１８のしかるべき表示位置に表示するために、交差点に接近している旨を示す交差点接近情報を、映像制御手段１１の映像表示位置／表示範囲指令部１１１に対して出力する。
【００６４】
該交差点接近情報を受信した映像表示位置／表示範囲指令部１１１は、車両周囲センサ１４の測定結果である障害物検出信号を受信することによって、車両周囲の数十ｃｍから数ｍの範囲に存在する障害物までの距離を取得して、当該車両のフロントバンパー前端が交差点入口に差し掛かったか否かを検出する（ステップＳ１１３）。
【００６５】
ここで、当該車両のフロントバンパー前端が交差点入口に差し掛かった時点（タイミング）を検出する具体的な検出方法としては、前述した図７に示すように、フロントバンパー左角部に取り付けられた車両周囲センサ１４を用いて、当該車両のフロントバンパーの真横左方向の障害物（壁）までの距離ｄｌ（ｍ）と車両フロントバンパー真横から角度θｓだけ左斜め前方の障害物（壁）までの距離ｄｌ２（ｍ）とを検出して、距離ｄｌ（ｍ）と距離ｄｌ２（ｍ）との関係が、次の不等式を満足し始めた最初の時点を用いることにしても良い。すなわち、次の不等式の関係が成立した最初の時点を、当該車両のフロントバンパー前端が交差点入口に進入開始した時点と判別して、車両周辺の映像を安全確認のために表示装置１８上に表示する。
【００６６】
ｄｌ  ＜  ｄｌ２＊ｃｏｓθs
ステップＳ１１３において、当該車両のフロントバンパー前端が交差点入口に差し掛かったことを検出すると（ステップＳ１１３のＹＥＳ）、映像表示位置／表示範囲指令部１１１は、車両左右側方の障害物までの距離の測定結果に応じて、車載カメラ１６によって撮影される車両前端左側方および右側方の映像を表示装置１８上へそれぞれ表示する表示位置を算出し、表示装置１８上の表示位置や表示範囲などを指定する映像切替指令を生成して、カメラ映像切替装置１７に対して出力する（ステップＳ１１４）。
【００６７】
ここで、映像を表示装置１８に表示する表示位置や表示範囲を算出する具体的な算出方法としては、例えば、前述した図５に示すような算出方法を用いれば良いが、さらに、図９を用いて算出方法の具体例をより詳細に説明する。図９は、映像を表示装置１８に表示する表示位置を算出する具体的な算出方法の一例を説明する概念図である。
【００６８】
図９に示すように、日本人ドライバの平均的なアイポイントを基準アイポイントとして、次のような関係が成立する。
【００６９】
ｔａｎθｌ  ＝  （ＷＬ＋ｄｌ）／ＬＴ  ＝  Ｘｌ／Ｄ
ｔａｎθｒ  ＝  （ＷＲ＋ｄｒ）／ＬＴ  ＝  Ｘｒ／Ｄ
ここで、θｌおよびθｒは、それぞれ、ドライバの基準アイポイントから車両フロントバンパー左端および車両フロントバンパー右端方向を目視確認する視線方向の車両正面方向となす角度である。また、ＷＬ(ｍ)およびＷＲ(ｍ)は、それぞれ、ドライバの基準アイポイントから車両真横左端および車両真横右端までのそれぞれの車両横方向幅に相当する距離であり、Ｄ(ｍ)は、ドライバの基準アイポイントから表示装置１８の横方向中心線までの距離である。
【００７０】
また、ＬＴ(ｍ)は、ドライバの基準アイポイントから車両フロントバンパー先端までの距離であり、車体寸法から決定される固定値である。なお、ｄｌ(ｍ)およびｄｒ(ｍ)は、それぞれ、車両フロントバンパー左角部および右角部に取り付けられた車両周囲センサ１４を用いて検出した車体の左真横方向および右真横方向の障害物までの距離であり、車両の走行状態に応じて可変の値となっている。
【００７１】
したがって、下記に示す式（１）、式（２）に基づいて、車両前端左側方の映像表示位置Ｘｌ(ｍ)および車両前端右側方の映像表示位置Ｘｒ(ｍ)を算出することができる。
【００７２】
Ｘｌ  ＝  Ｄ＊（ＷＬ＋ｄｌ）／ＬＴ          …（１）
Ｘｒ  ＝  Ｄ＊（ＷＲ＋ｄｒ）／ＬＴ          …（２）
ステップＳ１１４において、映像表示位置／表示範囲指令部１１１から出力された映像切替指令を、受信したカメラ映像切替装置１７では、該映像切替指令によって指示されている表示位置ＸｌおよびＸｒに基づいて、車両前端左右側方の映像を表示する位置を切り替えるように、車載カメラ１６が撮影した映像の表示装置１８への表示位置を変更する。
【００７３】
これにより、平均的な視点（アイポイント）を持つドライバが、車両フロントバンパー左角から左横前方方向および車両フロントバンパー右角から右横前方方向を見る視線方向の位置に表示位置が変更されて、映像を表示装置１８上で表示されることとなり、ドライバは、交差点入口付近を目視確認している視線方向を変更することなく、表示装置１８上の映像を確認することができる。
【００７４】
以上に詳細に説明したように、本実施形態においては、次のような効果が得られる。
【００７５】
ナビゲーション装置１３により取得される情報に基づいて交差点に接近したことを検出した際に、車両周囲の道路状況（見通しや道路幅など）や車両状態やドライブ状態（車速や操舵角やアイポイントなど）の検出結果に応じて、車両前端左側方および右側方の映像の表示装置１８への表示位置を、ドライバの視線方向（目視確認方向）を基準にして設定することにより、車両の走行状態に応じたドライバの視線移動量を最小限とする位置に車両前端左右側方の映像を表示することができる。
【００７６】
また、ナビゲーション装置１３により取得される情報に基づいて交差点に接近したことを検出した際に、車両左右の余裕度（残りの道幅）の推定結果を用いて、交差点進入時における左右のドライバの視線方向（目視確認方向）を推定し、車両前端左側方および右側方の映像の表示装置１８への表示位置を、ドライバの目視確認方向を基準にして設定することにより、交差点進入時における左右の目視確認方向から最小限の視線移動量で、車両前端左側方および右側方の映像を確認することができる。
【００７７】
さらに、交差点進入時における左右の目視確認方向を車両のフロントバンパー前端が交差点入口に差し掛かった時点を基準とすることにより、実際の交差点進入時におけるドライバの目視確認方向に合わせて、精度良く、車両前端左側方および右側方の映像の表示位置を決定することができる。
【００７８】
さらに、車両前端左側方および右側方の映像の表示位置をインパネ上に設置された表示装置１８内の特定の数段階の限定表示位置に限定することにより、表示装置１８（表示デバイス）における配置上の制約条件にも対応可能として、ＴＶや警報などの他のコンテンツの表示位置への影響を最小限に止めることができる。
【００７９】
さらに、車両の交差点進入直前に決定した車両前端左側方および右側方の映像の表示位置を、交差点進入後も変更しないようにすることにより、交差点進入以降に、映像の表示位置が移動してしまう煩わしさを防止することができる。
【００８０】
さらに、車両前端左側方および右側方の映像の表示開始タイミングを、車両のフロントバンパー前端が交差点入口から所定距離手前に到達した時点とすることにより、車両前端部に取り付けられた車載カメラが交差点左右の安全確認に必要な映像を取得可能になるタイミングに合せて映像の表示を開始することができる。
【００８１】
さらに、車両の現在位置における道路の道路幅、車線数あるいは道路種別を用いて、当該道路の道路形状を推定することによって、例えば、住宅街のような道路幅が狭く、見通しの悪い交差点のように、車両前端左側方および右側方の映像を安全確認のために必要とする場合にのみ映像を表示することができる。
【００８２】
さらに、車両側方と車両斜め前方との双方における障害物までの距離を測定した測定結果を用いることにより、車両フロントバンパー前端が交差点に進入するタイミングを精度良く検出することができる。
【００８３】
さらに、車速に応じて車両斜め前方の測定角度を変化させることにより、交差点への車両の進入速度に応じて、フロントバンパー前端が交差点に進入したと見なすタイミングを調整することができる。また、車両側方真横の障害物までの距離に応じて、車両斜め前方の測定角度を設定することにより、フロントバンパー前端が交差点入口からあらかじめ定めた一定距離手前までに到達したことを精度良く検知することができる。
【００８４】
（第２の実施形態）
次に、本発明による車両用表示装置および車両用映像表示制御方法の第２の実施形態について説明する。本実施形態においては、運転席シートのスライド位置およびリクライニング角度に応じて、車両前端左側方の映像の表示装置１８への表示位置Ｘｌおよび車両前端右側方の映像の表示装置１８への表示位置Ｘｒを算出する際に用いるドライバの基準アイポイント位置を車体長手方向（前後方向）に補正する例を説明している。
【００８５】
本実施形態における車両用表示装置の構成としては、第１の実施形態における図１のシステム構成に対して、図１０に破線で示すように、運転席シートの前後スライド量およびシートバックのリクライニング角度を検出するシート位置検出ステップを実現するためのシート位置検出手段１９が追加されて構成されている。図１０は、本発明による車両用表示装置の基本構成の図１とは異なる例を示すシステム構成図であり、第２の実施形態におけるシステム構成を示すものである。
【００８６】
本実施形態において新たに追加したシート位置検出手段１９の動作について、図１１を用いて以下に説明する。図１１は、運転席のシートポジションの変化の一例を説明するための概念図であり、運転席シートの前後方向のスライド量、および、運転席シートバックのリクライニング角度について示している。
【００８７】
図１１に示すように、ドライバの基準アイポイントにおけるシートの基準位置（基準シートポジション）から後方方向へのスライドを＋側として、スライド量をΔｓ（ｍ）とし、基準アイポイントにおける基準角度θから後ろ方向への傾斜を＋側として、リクライニング角度をΔθとした場合、このような運転席のシートポジションの変化をシート位置検出手段１９において検出すると、シート位置変化情報として、シート位置検出手段１９から映像制御手段１１に対して送出される。
【００８８】
シート位置検出手段１９から、前述のようなスライド量Δｓ（ｍ）、リクライニング角度Δθというシート位置変化情報を受け取った映像制御手段１１においては、車両前端左側方の映像の表示装置１８への表示位置Ｘｌおよび車両前端右側方の映像の表示装置１８への表示位置Ｘｒを算出する際に用いる基準アイポイント位置を、該シート位置変化情報に基づいて補正する。基準アイポイント位置の具体的な補正方法は、次の通りである。
【００８９】
ここで、θを基準アイポイントのときのシートバックのリクライニング基準角度とし、ＬＳをリクライニング時のシートバック回転中心からヘッドレストまでの長さとすると、シートをさらにリクライニング角度Δθだけ倒した場合に、ドライバのアイポイントが基準アイポイントの位置から後方に移動する移動量Δｌｅは、次の式で与えられる。
【００９０】
Δｌｅ  ＝  ＬＳ×｛ｃｏｓθ−ｃｏｓ(θ-Δθ)｝
さらに、このリクライニング角度Δθだけ倒した状態で、シートを基準アイポイントの位置からスライド量Δｓ（ｍ）だけ後方に移動させた場合、ドライバのアイポイントが基準アイポイントの位置から後方に移動するトータル移動量ΔＳＰは、次の式で与えられる。
【００９１】
ΔＳＰ  ＝  Δｓ＋Δｌｅ
したがって、シート位置検出手段１９によって、前述のようなシート位置変化情報を検出した場合、車両前端左側方の映像の表示装置１８への表示位置Ｘｌおよび車両前端右側方の映像の表示装置１８への表示位置Ｘｒを算出する、第１の実施形態に示した式（１）、式（２）を次の通り補正することにする。すなわち、前述の式（１）、式（２）において、ドライバの基準アイポイントから車両フロントバンパー先端までの距離ＬＴ（ｍ）および基準アイポイントから表示装置１８の横方向中心までの距離Ｄ（ｍ）を、それぞれ、トータル移動量ΔＳＰ（ｍ）によって、（ＬＴ＋ΔＳＰ）および（Ｄ＋ΔＳＰ）と補正し、それぞれ、次の式（１Ａ）、式（２Ａ）によって算出するようにする。
【００９２】
Ｘｌ  ＝  （Ｄ＋ΔＳＰ）＊（ＷＬ＋ｄｌ）／（ＬＴ＋ΔＳＰ）  …（１Ａ）
Ｘｒ  ＝  （Ｄ＋ΔＳＰ）＊（ＷＲ＋ｄｒ）／（ＬＴ＋ΔＳＰ）  …（２Ａ）
式（１Ａ）、式（２Ａ）によって算出された表示位置Ｘｌおよび表示位置Ｘｒへ移動させる映像切替指令を映像制御手段１１から受信したカメラ映像切替装置１７では、該映像切替指令によって指示されている表示位置ＸｌおよびＸｒに基づいて、車両前端左右に取り付けられている車載カメラ１６が撮影した映像の表示装置１８への表示位置を変更する。
【００９３】
これにより、運転席のシート位置を変化させた場合であっても、平均的な視点（アイポイント）のドライバが、車両フロントバンパー左角から左横前方方向および車両フロントバンパー右角から右横前方方向を目視確認している視線方向の位置に変更して、映像を表示装置１８上に表示する表示位置をより精度良く変更することが可能となり、ドライバは、視線方向を変更することなく、映像を確認することができる。
【００９４】
なお、以上のような映像の表示位置の制御に関する具体的な処理の流れについては、第１の実施形態において示した図８のフローチャートのステップＳ１１４において、車両前端左側方の映像表示位置Ｘｌ(ｍ)および右側方の映像表示位置Ｘｒ(ｍ)を算出する際に、前述したような運転席のシートポジションに応じた補正演算を追加して実施する点を除いて、図８のフローチャートの場合と全く同様であり、ここでの重複する説明は省略する。
【００９５】
以上に詳細に説明したように、本実施形態においては、第１の実施形態における効果に加えて、さらに、次のような効果が得られる。
【００９６】
すなわち、運転席のシートポジションの変化状態を検出して、車両前端左側方および右側方の映像の表示装置１８上の表示位置を補正することにより、ドライバのシートポジションの違いに対応して、運転中の視線方向を大幅に変化することなく、表示装置１８上の映像を確認することができる。
【００９７】
（第３の実施形態）
次に、本発明による車両用表示装置および車両用映像表示制御方法の第３の実施形態について説明する。本実施形態においては、車両用表示装置の全体構成としては、第１の実施形態における図１のシステム構成と同様であるが、ハードウェア構成としての表示装置１８には、第１の実施形態における図２に示したようなインパネ上部や助手席ダッシュボード上部に配置したワイドディスプレイ１８１やホリゾンタルディスプレイ１８２の場合とは異なり、フロントガラス上に表示可能なヘッドアップディスプレイ(ＨＵＤ：Ｈｅａｄ−Ｕｐ  Ｄｉｓｐｌａｙ)を用いている場合を説明している。
【００９８】
ヘッドアップディスプレイ（ＨＵＤ）は、ドライバの視点をフロントガラス前方の外界の映像から車載カメラ１６が撮影した映像に切り替える際に、焦点を合わせ直さなくても、撮影映像を視認できるように、無限遠の点に結像する撮影映像を、大きな透明な光学ガラスすなわちフロントガラス上に投影するものである。このようなヘッドアップディスプレイ（ＨＵＤ）上に映像表示を行う場合、車両フロントバンパー左右端部に取り付けられている車載カメラ１６で撮影された車両前端左右側方の映像を視点変換して、あるいは、車両が交差点に差し掛かった際に、車載カメラ１６によって走行道路の壁の向こう側にある走行道路と交差する道路の映像を撮影し、恰も、壁を透過して壁の向こう側を撮影したような映像に視点変換して、このヘッドアップディスプレイ（ＨＵＤ）を用いて、フロントガラス前方の外界の映像に重なった形で表示することも有効である。
【００９９】
この結果、図１２に示すように、フロントガラスから前方正面、前方左右を視認しているドライバの視界に重なって、車載カメラ１６で撮影された映像が表示されるので、ドライバは、視点を移動させることもなく、かつ、焦点を合わせ直すこともなく、映像を視認することができる。なお、ヘッドアップディスプレイ（ＨＵＤ）に表示する映像としては、例えば、見通しの悪い交差点にカメラを設置し、走行道路と交差する道路側を撮影した映像を無線信号によって、送信させるようにし、図２に示すナビゲーション装置１３内にインフラ受信器１３５によって受信して、表示させるようにすることもできる。
【０１００】
図１２は、交差点の壁の向こう側の道路の映像をヘッドアップディスプレイによって表示する状況を説明するための概念図であり、図１２（Ａ）は、交差点の壁の向こう側の道路の映像を、第１の実施形態と同様、インパネ上部のホリゾンタルディスプレイ１８２に表示している場合であり、図１２（Ｂ）は、交差点の壁の向こう側の道路の映像を、ヘッドアップディスプレイ（ＨＵＤ）によって、フロントガラス上のＨＵＤ表示エリア１８３に表示している場合を示している。
【０１０１】
次に、本実施形態において表示装置１８として用いるヘッドアップディスプレイ（ＨＵＤ）への表示方法について、図１２を参照しながら以下に説明する。
【０１０２】
図１２（Ｂ）に示すように、左側、右側の両側が壁となっているような見通しの悪い交差点において、車両のフロントバンパー前端が交差点入口に差し掛かった際に、壁の向こう側にある交差する道路上の物体をフロントバンパー前部に取り付けられた車載カメラ１６で撮影して、ドライバのアイポイントから壁の角（交差点入口）の方向に向う視線方向（視点）上に、すなわち、第１の実施形態で示した図８のフローチャートのステップＳ１１４において算出した表示位置近傍に配置されているＨＵＤ表示エリア１８３上に、車載カメラ１６で撮影した映像を視点変換して表示する。
【０１０３】
なお、第１の実施形態の場合は、図１２（Ａ）のように、インパネ上部の例えばホリゾンタルディスプレイ１８２上の表示位置に同様の映像を表示する。この結果、見通しの悪い交差点においても、壁の向こう側が恰も透過しているような映像を、フロントガラス上のＨＵＤ表示エリア１８３上（図１２（Ｂ）の場合）やホリゾンタルディスプレイ１８２上（図１２（Ａ）の場合）に表示させることができる。
【０１０４】
具体的な視点変換の設定方法について、図１３に示す例を用いてさらに説明する。図１３は、交差点の壁の向こう側の道路の映像の視点を変換する視点変換方法の一例を示す概念図である。
【０１０５】
先ず、第１の実施形態で説明した図９に示すように、車両フロントバンパー左角部および右角部に取り付けられた車両周囲センサ１４によって検出される車体の左真横および右真横方向のそれぞれの障害物までの距離ｄｌ（ｍ）およびｄｒ（ｍ）、ドライバの基準アイポイントから真横左右の車両側方までの距離ＷＬ、ＷＲ、および、基準アイポイントから車両フロントバンパーまでの距離ＬＴに基づいて、ドライバの基準アイポイントから交差点入口の左端および右端への視線方向角度θｌおよびθｒを算出する。図９に示したように、算出式は以下の通りである。
【０１０６】
θｌ  ＝  ａｒｃｔａｎ｛（ＷＬ＋ｄｌ）／ＬＴ｝
θｒ  ＝  ａｒｃｔａｎ｛（ＷＲ＋ｄｒ）／ＬＴ｝
次に、図１３に示すように、交差点入口の左端、右端から、交差する道路それぞれの奥の方向すなわち延長方向に向って予め定めた所定距離ＶＬ（ｍ）(例えば、２ｍ)までを、撮影映像の範囲に入るように、交差点入口の左右両端から交差する道路それぞれの延長方向にＶＬ（ｍ）ずつ進んだポイントＰＶｌおよびＰＶｒの位置に、ドライバの基準アイポイントから向う角度θｌｖおよびθｒｖを算出する。算出式は以下の通りである。
【０１０７】
θｌｖ  ＝  ａｒｃｔａｎ｛（ＷＬ＋ｄｌ＋ＶＬ）／ＬＴ｝
θｒｖ  ＝  ａｒｃｔａｎ｛（ＷＲ＋ｄｒ＋ＶＬ）／ＬＴ｝
以上のθｌおよびθｒ、θｌｖおよびθｒｖより変換する映像の視点は、視点位置を基準アイポイントとして、仮想カメラの視線方向を、左右それぞれ
（θｌ＋θｌｖ）／２
（θｒ＋θｌｒ）／２
とし、視点変換の投影面としては、仮想カメラの視線方向に対して垂直で、かつ、ポイントＰＶｌおよびＰＶｒを通る平面上に設定すれば良い。
【０１０８】
なお、以上のような映像の表示位置の制御に関する具体的な処理の流れについては、ヘッドアップディスプレイ（ＨＵＤ）上への前述のような視点変換を行う処理を除いては、第１の実施形態において示した図８のフローチャートと全く同様であり、ここでの重複する説明は省略する。
【０１０９】
以上に詳細に説明したように、本実施形態においては、第１，第２の実施形態における効果に加えて、さらに、次のような効果が得られる。
【０１１０】
すなわち、車両前端部に取り付けられたカメラによって撮影された映像を、交差する道路について交差点入口の左端、右端から更に外側に交差点から遠ざかるように延長した所定の範囲（例えば２ｍ）の映像をドライバのアイポイントから視認することができるように、視点変換した映像を表示することにより、交差点入口までに存在する障害物（壁）の向こう側の様子が障害物を恰も透過して見えるように、映像を表示させることができる。
【０１１１】
（第４の実施形態）
次に、本発明による車両用表示装置および車両用映像表示制御方法の第４の実施形態について説明する。本実施形態においては、ドライバの視線方向に応じて、車両前端左側方の映像の表示装置１８への表示位置Ｘｌおよび車両前端右側方の映像の表示装置１８への表示位置Ｘｒを算出する例を説明している。
【０１１２】
本実施形態における車両用表示装置の構成としては、第１の実施形態における図１のシステム構成に対して、図１４に破線で示すように、ドライバの視線方向を検出するドライバ視線方向検出ステップを実現するためのドライバ視線方向検出手段２０が追加されて構成されている。図１４は、本発明による車両用表示装置の基本構成の図１とはさらに異なる例を示すシステム構成図であり、第４の実施形態におけるシステム構成を示すものである。なお、ここでは、図１のシステム構成にドライバ視線方向検出手段２０が追加される場合を示したが、これに限るものではなく、例えば、第２の実施形態で示した図１０のシステム構成に対してドライバ視線方向検出手段２０が追加されるように構成しても良い。
【０１１３】
ドライバ視線方向検出手段２０の具体的ハードウェア構成としては、例えば、赤外線を用いて、ドライバの眼球の動きを追跡する手段（ステップ）を有するシステムや、ＣＣＤカメラ等でドライバの顔面周辺を撮影して、眼部の映像をパターンマッチングなどの画像処理を用いて抽出し、抽出した眼部の映像中の眼球の動きを検出する手段（ステップ）を有するシステムなどが挙げられる。
【０１１４】
次に、本実施形態において新たに追加したドライバ視線方向検出手段２０の動作について説明する。
【０１１５】
交差点入口への車両フロントバンパーの到達が検出されてからあらかじめ定めた所定時間（例えば３秒）の間に、ドライバ視線方向検出手段２０を用いて検出されたドライバの左右の視線方向の動きのうち、運転席の中心線に対して左右の視線方向が最大となった最大角度を抽出して、この左右の最大角度を、それぞれ、第１の実施形態の図９に示す交差点入口の左右端を目視している視線角度θｌおよびθｒとして採用して補正するものである。而して、図９の場合と同様にして、映像の表示装置１８への左右の表示位置を、ドライバの基準アイポイントから検出したこのドライバの視線方向θlおよびθrにある位置ＸｌおよびＸｒに設定する。
【０１１６】
なお、以上のような映像の表示位置の制御に関する具体的な処理の流れについては、交差点進入時におけるドライバの左右の最大視線方向を示すθlおよびθrを検出して補正する処理を除いて、第１の実施形態において示した図８のフローチャートと全く同様であり、ここでの重複する説明は省略する。
【０１１７】
以上に詳細に説明したように、本実施形態においては、第１，第２の実施形態における効果に加えて、さらに、次のような効果が得られる。
【０１１８】
すなわち、赤外線や画像処理によるドライバ視線方向検出手段２０を用いて、交差点入口に到達した際のドライバの左右目視確認時の視線方向を検出し、検出された視線方向上に表示されるように、車両前端左側方および右側方の映像の表示装置１８の表示位置Ｘｌ及びＸｒを設定することにより、ドライバの目視確認行動に応じて、視線移動量が最小限となる位置に左右の映像を表示することができる。
【０１１９】
以上に、本発明の実施形態を詳細に説明したが、本発明は、かかる実施例に限定されるものではなく、本発明の趣旨を逸脱しない限り、如何なる形態で実施してもかまわない。例えば、前述した各実施形態のいずれかを組み合せて実施するようにしてもかまわない。
【図面の簡単な説明】
【０１２０】
【図１】本発明による車両用表示装置の基本構成の一例を示すシステム構成図である。
【図２】本発明による車両用表示装置のハードウェア構成の一例を示すブロック構成図である。
【図３】道路種別ごとの主要度の順位の一例を説明するための道路種別テーブルである。
【図４】車両左側側方の余裕度（残りの道幅）に応じて、映像の表示位置を変化させる概念を説明するための概念図である。
【図５】車両側方の余裕度（残りの道幅）に応じて、映像の表示位置を横方向に移動させて設定する方法の一例を示す概念図である。
【図６】映像の表示位置を表示装置内の特定の数段階に限定して設定した場合の一例を示す概念図である。
【図７】車両が交差点へ進入する直前の時点を検出する検出方法の一例を説明する概念図である。
【図８】本発明による車両用表示装置における映像表示方法の流れの一例を説明するためのフローチャートである。
【図９】映像を表示装置に表示する表示位置を算出する具体的な算出方法の一例を説明する概念図である。
【図１０】本発明による車両用表示装置の基本構成の図１とは異なる例を示すシステム構成図である。
【図１１】運転席のシートポジションの変化の一例を説明するための概念図である。
【図１２】交差点の壁の向こう側の道路の映像をヘッドアップディスプレイによって表示する状況を説明するための概念図である。
【図１３】交差点の壁の向こう側の道路の映像の視点を変換する視点変換方法の一例を示す概念図である。
【図１４】本発明による車両用表示装置の基本構成の図１とはさらに異なる例を示すシステム構成図である。
【符号の説明】
【０１２１】
１０…車両内ＬＡＮ、１１…映像制御手段、１２…車両情報収集手段、１３…ナビゲーション装置、１４…車両周囲センサ、１５…交差点判別手段、１６…車載カメラ、１７…カメラ映像切替装置、１８…表示装置、１１１…映像表示位置／表示範囲指令部、１３１…自車両位置測定装置、１３２…道路情報取得手段、１３３…地図データベース（ＤＢ）、１３４…アンテナ、１３５…インフラ受信器、１４１…超音波センサ、１４２…ミリ波レーダ、１５１…車両情報読取部、１５２…ナビ情報読取部、１５３…交差点抽出部、１５４…交差点進入判断部、１８１…ワイドディスプレイ、１８２…ホリゾンタルモニタ、１８３…ＨＵＤ表示エリア。
【図１】
0004747867.tif 000002
【図２】
0004747867.tif 000003
【図３】
0004747867.tif 000004
【図４】
0004747867.tif 000005
【図５】
0004747867.tif 000006
【図６】
0004747867.tif 000007
【図７】
0004747867.tif 000008
【図８】
0004747867.tif 000009
【図９】
0004747867.tif 000010
【図１０】
0004747867.tif 000011
【図１１】
0004747867.tif 000012
【図１２】
0004747867.tif 000013
【図１３】
0004747867.tif 000014
【図１４】
0004747867.tif 000015